(57)【要約】【課題】低電力消費で反応槽に多量の酸素を溶解させることができ、また、排水と微生物の接触効率が良好である生物処理装置を提供する。【解決手段】反応槽３内に酸素透過膜モジュール２ａ〜２ｃが多段に設置され、ブロアＢからの酸素含有ガスが配管４，５，６を介して酸素透過膜モジュール２ａ〜２ｃに順次に流通され、配管７から排出される。反応槽３は水深が６ｍ以上であり、酸素透過膜モジュール２ａ〜２ｃの少なくとも一部が水深６ｍ以下に設置されている。ブロアの圧力は反応槽３の水深により生じる水圧よりも小さい。酸素透過膜モジュール２は中空糸膜を有する。【選択図】図１
2018047404.tif 000002
【特許請求の範囲】
【請求項１】
反応槽と、
該反応槽内に上下多段に設置された複数個の酸素透過膜モジュールと、
該酸素透過膜モジュールに酸素含有ガスを供給する酸素含有ガス供給手段と、
を備え、
酸素透過膜モジュールは、非多孔性の酸素透過膜を備えており、該膜は供給された酸素含有ガス中の酸素を槽内に透過させると共に、槽内において気泡を発生させないことを特徴とする生物処理装置。
【請求項２】
前記酸素透過膜モジュールは、前記反応槽内に上下方向に２〜８段設置されていることを特徴とする請求項１に記載の生物処理装置。
【請求項３】
前記反応槽が６ｍ以上の水深を有することを特徴とする請求項１又は２に記載の生物処理装置。
【請求項４】
前記酸素透過膜モジュールは、前記膜の少なくとも一部が、６ｍ以上の水深となるように槽内に設置されていることを特徴とする請求項１〜３のいずれか１項に記載の生物処理装置。
【請求項５】
上下方向に配列された下段側の前記酸素透過膜モジュールから流出した酸素含有ガスを上段側の酸素透過膜モジュールに流入させるように構成されている生物処理装置であって、
最下段の酸素透過膜モジュールにあっては、酸素含有ガスが上部に供給され、下部から流出することを特徴とする請求項１〜４のいずれか１項に記載の生物処理装置。
【請求項６】
最下段よりも上側の前記酸素透過膜モジュールにあっては、下段側の酸素透過膜モジュールからの酸素含有ガスが該酸素透過膜モジュールの上部に供給されると共に、該酸素透過膜モジュールの下部から流出することを特徴とする請求項１〜５のいずれか１項に記載の生物処理装置。
【請求項７】
上下方向に複数個配置された前記酸素透過膜モジュールに対し共通の配管からそれぞれ酸素含有ガスが供給され、
各酸素含有ガスから流出したガスが共通の排気用配管を介して排出されることを特徴とする請求項１〜６のいずれか１項に記載の生物処理装置。
【発明の詳細な説明】
【技術分野】
【０００１】
本発明は、有機性排水の好気性生物処理装置に関する。
【背景技術】
【０００２】
好気性生物処理は安価であるため有機性廃水の処理法として多用されている。本方法では、被処理水への酸素の溶解が必要であり、通常は散気管による曝気が行われている。
【０００３】
散気管による曝気は溶解効率が５−２０％程度と低い。また、散気管の設置される水深にかかる水圧以上の圧力で曝気することが必要であり、高圧で多量の空気を送風するため、ブロアの電力費が問題であった。通常は、好気性生物処理における電力費の２／３以上が酸素溶解のために使用されている。
【０００４】
深層曝気槽は、装置の必要面積を小さくでき、さらに酸素の溶解効率が高いことから敷地面積が小さい工場や都市部の生物処理装置として多用されてきた。しかし、水深が５ｍ以上、例えば１０ｍ程度の生物処理用深層曝気槽は、最底部から曝気する場合、高圧ブロアが必要でブロアの効率が悪く、電力コストが高くなるという欠点がある。また、汎用の中圧ブロアを使って曝気槽の中間部から曝気し、旋回流によって槽全体を撹拌、混合する場合もある。しかし、この方法では全面曝気に比べて酸素の溶解効率が低く、より電力コストが高くなる。
【０００５】
高圧ブロアを使う方式では、高圧ブロアの効率が悪いため電力コストが高い。また、汎用ブロアの旋回流方式では酸素の溶解効率が低いため電力消費量が多い。
【０００６】
メンブレンエアレーションバイオリアクター（ＭＡＢＲ）は、気泡の発生なしで酸素溶解できる。ＭＡＢＲでは、水深にかかる水圧よりも低い圧力の空気を通気すればよいため、ブロアの必要圧力が低く、また、酸素の溶解効率が高い。しかし、ＭＡＢＲは、気泡が発生しないため液の混合撹拌が困難であり、その結果、微生物と基質との接触が悪くなる為、処理効率が低下する。
【０００７】
これを改善するため、通常は間欠的（例えば１０〜３０分に１〜５分）に曝気して液を混合、撹拌して微生物と基質を接触させている。しかし、曝気するために大きなブロアが必要である。また、ブロアの撹拌効率が低いため、電力消費量が多くなる。
【先行技術文献】
【特許文献】
【０００８】
【特許文献１】特開平１１−１６２号公報
【発明の概要】
【発明が解決しようとする課題】
【０００９】
本発明は、低電力消費で反応槽に多量の酸素を溶解させることができ、また、排水と微生物の接触効率が良好である生物処理装置を提供することを目的とする。
【課題を解決するための手段】
【００１０】
本発明の生物処理装置は、反応槽と、該反応槽内に上下多段に設置された複数個の酸素透過膜モジュールと、該酸素透過膜モジュールに酸素含有ガスを供給する酸素含有ガス供給手段と、を備え、酸素透過膜モジュールは、非多孔性の酸素透過膜を備えており、該膜は供給された酸素含有ガス中の酸素を槽内に透過させると共に、槽内において気泡を発生させないことを特徴とするものである。
【００１１】
本発明の一態様の生物処理装置では、前記酸素透過膜モジュールは、前記反応槽内に上下方向に２〜８段設置されている。
【００１２】
本発明の一態様の生物処理装置では、前記反応槽が６ｍ以上の水深を有する。
【００１３】
本発明の一態様の生物処理装置では、前記酸素透過膜モジュールは、前記膜の少なくとも一部が、６ｍ以上の水深となるように槽内に設置されている。
【００１４】
本発明の一態様の生物処理装置では、上下方向に配列された下段側の前記酸素透過膜モジュールから流出した酸素含有ガスを上段側の酸素透過膜モジュールに流入させるように構成されている生物処理装置であって、最下段の酸素透過膜モジュールにあっては、酸素含有ガスが上部に供給され、下部から流出する。
【００１５】
本発明の一態様の生物処理装置では、最下段よりも上側の前記酸素透過膜モジュールにあっては、下段側の酸素透過膜モジュールからの酸素含有ガスが該酸素透過膜モジュールの上部に供給されると共に、該酸素透過膜モジュールの下部から流出する。
【００１６】
本発明の一態様の生物処理装置では、上下方向に複数個配置された前記酸素透過膜モジュールに対し共通の配管からそれぞれ酸素含有ガスが供給され、各酸素含有ガスから流出したガスが共通の排気用配管を介して排出される。
【発明の効果】
【００１７】
本発明の生物処理装置は、上下多段に配置された複数個の酸素透過膜モジュールを備えているので、酸素は膜透過により水中に効率よく溶解する。本発明では、酸素含有ガスを水中に吹き込む場合に比べ、ブロア圧力を低くすることができる。
【図面の簡単な説明】
【００１８】
【図１】実施の形態に係る生物処理装置の縦断面図である。
【図２】（ａ）は酸素供給透過膜モジュールの側面図、（ｂ）は酸素供給透過膜モジュールの斜視図である。
【図３】中空糸膜モジュールの斜視図である。
【図４】実施の形態に係る生物処理装置の縦断面図である。
【図５】中空糸膜の配列を説明する斜視図である。
【図６】中空糸膜の配列を説明する斜視図である。
【図７】中空糸膜モジュールの分解斜視図である。
【図８】中空糸膜モジュールの斜視図である。
【図９】（ａ）は中空糸膜モジュールにおける中空糸膜の配列を示す側面図、（ｂ）はその平面図である。
【図１０】中空糸膜モジュールの側面図である。
【図１１】中空糸膜モジュールの側面図である。
【図１２】酸素溶解効率を示すグラフである。
【図１３】総括酸素移動係数を示すグラフである。
【発明を実施するための形態】
【００１９】
以下、図面を参照して本発明についてさらに詳細に説明する。
【００２０】
本発明の生物処理装置は、下水、紙パルプ、化学、食品、自動車製造工程等の有機性排水を処理するのに好適な好気性生物処理装置であり、深槽型の反応槽内に酸素透過膜モジュールを配置している。図１（ａ）〜（ｄ）はそれぞれ本発明の一例に係る生物処理装置１Ａ〜１Ｄを示す縦断面図である。各生物処理装置１Ａ〜１Ｄは、反応槽３内に上下多段に配置された複数個の酸素透過膜モジュール２を備えている。この実施の形態では、酸素透過膜モジュール２は３段に設置されているが、酸素透過膜モジュール２は２〜８段に特に２〜４段に設置されることが好ましい。
【００２１】
反応槽３は好ましくは６ｍ以上、例えば６〜１００ｍ特に１０〜２０ｍの水深を有する。酸素透過膜モジュール２の少なくとも一部、特に酸素透過膜モジュール２の上端が、６ｍ以上、例えば１０〜２０ｍの水深となるように設置されていることが好ましい。また、複数個設けられている場合には、少なくとも一つの酸素透過膜モジュール２の上端が、６ｍ以上、例えば１０〜２０ｍの水深となるように設置されていることが好ましい。
【００２２】
生物処理装置１Ａ〜１Ｄにあっては、原水は反応槽３の上部に供給され、処理水が反応槽３の下部から取り出されてもよく、原水が反応槽３の下部に供給され、反応槽３の上部から処理水が取り出されてもよい。原水をディストリビュータによって反応槽３の下部に供給してもよく、このようにすると、プラグフローの上昇流が形成され易くなる。
【００２３】
酸素透過膜モジュール２は、非多孔質の酸素透過膜を備えており、膜を透過した酸素が反応槽３内の被処理水に溶解するので、反応槽３内において気泡が生じない。
【００２４】
図１（ａ）では、ブロアＢからの空気等の酸素含有ガスは、配管４によって最下段の酸素透過膜モジュール２ｃの上部に供給され、酸素透過膜モジュール２ｃの下部から流出し、配管５を介して上から２段目の酸素透過膜モジュール２ｂの上部に供給され、酸素透過膜モジュール２ｂの下部から流出し、配管６を介して最上段の酸素透過膜モジュール２ａの上部に供給される。酸素透過膜モジュール２ｂの下部から流出したガスは、配管７を介して排出される。
【００２５】
図１（ｂ）の生物処理装置にあっては、ブロアＢからの酸素含有ガスは、配管４によって最下段の酸素透過膜モジュール２ｃの上部に供給され、その下部から流出し、下から２段目の酸素透過膜モジュール２ｂの下部に供給され、その上部から流出し、次いで最上段の酸素透過膜モジュール２ａの下部に供給され、その上部から配管７を介して排出される。
【００２６】
図１（ｃ）の生物処理装置にあっては、ブロアＢからの酸素含有ガスは、配管４によって最下段の酸素透過膜モジュール２ｃの下部に供給され、その上部から流出し、下から２段目の酸素透過膜モジュール２ｂの下部に供給され、その上部から流出し、次いで最上段の酸素透過膜モジュール２ａの下部に供給され、その上部から配管７を介して排出される。
【００２７】
図１（ｄ）の生物処理装置にあっては、酸素含有ガスは、各酸素透過膜モジュール２ａ〜２ｃに並列に流れる。即ち、ブロアＢからの酸素含有ガスは、配管４によって各酸素透過膜モジュール２ａ，２ｂ，２ｃの上部に供給され、各々の下部から流出し、配管７を介して排出される。
【００２８】
図１（ａ），（ｂ）のように、酸素含有ガスが最下段の酸素透過膜モジュール２ｃの上部に供給され、該酸素透過膜モジュール２ｃの下部から流出し、その後、上側の酸素透過膜モジュール２ｂ，２ａに順次流れるように構成した生物処理装置にあっては、酸素透過膜モジュール内の凝縮水が抜け易い。
【００２９】
図１（ｃ）のように、酸素含有ガスが酸素透過膜モジュール２ａ〜２ｃ内を上向きに流れるように構成した場合、酸素透過膜モジュール内の凝縮水が蒸発し易いものとなる。特に、酸素含有ガスとして乾燥度の高いガスを流すことにより、凝縮水が蒸発し易くなる。
【００３０】
図１（ａ）〜（ｃ）のように、酸素含有ガスを最下段の酸素透過膜モジュール２ｃから順次に上段側の酸素透過膜モジュール２ｂ，２ａに流通させるようにした生物処理装置において、反応槽３内の被処理水の流れを上向流のプラグフローとすることにより、ＢＯＤ濃度の高い原水側の被処理水ほど多くの酸素が供給されるので、負荷に応じた酸素供給量とすることができる。
【００３１】
図１（ｄ）のように、各酸素透過膜モジュール２ａ〜２ｃに並列に酸素含有ガスを流通させる場合、酸素含有ガスの圧力損失が少なく、省エネルギーとなる。なお、図１（ｄ）において、原水側に配置される酸素透過膜モジュールほど（例えば、被処理水を上向流とする場合、下段側の酸素透過膜モジュールほど）酸素含有ガス流通量を多くするようにすることにより、負荷に応じた酸素供給量とすることができる。
【００３２】
図１（ａ）〜（ｄ）のいずれにおいても、被処理水の流れ方向において下流側の酸素透過膜モジュールほど、膜面積を小さくするか、又は膜の充填密度を低くするようにしてもよい。
【００３３】
酸素透過膜モジュール２の酸素透過膜は、中空糸膜、平膜、スパイラル膜のいずれでもよいが、中空糸膜が好ましい。膜の材質は通常ＭＡＢＲに使用される、シリコン、ポリエチレン、ポリイミド、ポリウレタン等が使用できるが、シリコンが好適である。強度が高い、ノンポーラスポリマーでポーラス中空糸をコーティングしたコンポジット膜を用いてもよい。
【００３４】
中空糸膜は、好ましくは内径０．０５〜４ｍｍ特に０．２〜１ｍｍ、厚み０．０１〜０．２ｍｍ特に０．０２〜０．１ｍｍである。内径がこれより小さいと通気圧力損失が大きく、大きいと表面積が小さくなって酸素の溶解速度が低下する。厚みが上記範囲より小さいと物理的な強度が小さくなり、破断しやすくなる。逆に、厚みが上記範囲よりも大きいと、酸素透過抵抗が大きくなって酸素溶解効率が低下する。
【００３５】
中空糸膜の長さは０．５〜３ｍ程度、特に１〜２ｍ程度が好ましい。中空糸膜が長すぎると、生物膜が多量に付着した場合、破断したり、団子状に固まって表面積が小さくなり、酸素溶解効率が低下する、圧力損失が大きくなる等の問題が起こる。中空糸膜が過度に短いと、コストが高くなる。平膜、スパイラル膜の長さも同様の理由で０．５〜１．５ｍが好ましい。
【００３６】
図２は、酸素透過膜モジュール２の一例を示している。この酸素透過膜モジュール２は酸素透過膜として中空糸膜１２を用いたものである。この実施の形態では、中空糸膜１２は上下方向に配列されており、各中空糸膜１２の上端は上部ヘッダー１０に連なり、下端は下部ヘッダー１１に連なっている。中空糸膜１２の内部は、それぞれ上部ヘッダー１０及び下部ヘッダー１１内に連通している。各ヘッダー１０，１１は中空管状であり、略水平方向に平行に複数本配列されている。なお、平膜やスパイラル膜を用いる場合にも、上下方向に配列される。
【００３７】
各ヘッダー１０の一端又は両端がマニホルド１３に連結され、各ヘッダー１１の一端又は両端がマニホルド１４に連結されていることが好ましい。酸素透過膜モジュール２の上部に酸素含有ガスを供給し、酸素透過膜モジュール２の下部から排出する場合は、酸素含有ガスは上部ヘッダー１０から中空糸膜１２を通って下部ヘッダー１１へ流れ、この間に酸素が中空糸膜１２を透過して反応槽３内の水に溶解する。逆に、酸素透過膜モジュール２の下部に酸素含有ガスを供給し、上部から排出する場合は、下部ヘッダー１１に酸素含有ガスが供給され、中空糸膜１２を通って上部ヘッダー１０から排出される。
【００３８】
図３は、フレーム１５内に配置された酸素透過膜モジュール２の一例を示す正面図である。このフレーム１５は、４隅にそれぞれ立設された４本の柱１５ａと、各柱１５ａの上端同士の間に架設された上梁１５ｂと、各柱１５ｂの下部同士の間に架設された下梁１５ｃと、各柱１５ａの下端面に取り付けられた底座プレート１５ｄとを有する。酸素透過膜モジュール２のマニホルド１３，１４をフレーム１５に保持させることにより、酸素透過膜モジュール２がフレーム１５内に設置される。
【００３９】
このフレーム１５を備えた酸素透過膜モジュール２は、反応槽３内に上下多段に設置することが容易である。即ち、下側の酸素透過膜モジュール２のフレーム１５の上に、上側の酸素透過膜モジュール２の底座プレート１５ｄを載せるようにして上側の酸素透過膜モジュール２を配置することができる。
【００４０】
本発明の一態様では、中空糸膜が上下方向に配列された中空糸膜モジュールを高さ１〜２ｍ程度の高さの低い膜モジュールとし、これを２段以上、好ましくは４段以上に積層する。
【００４１】
このように中空糸膜の長さを短くし、高さを低くした中空糸膜モジュールを多段に積層することにより、低い圧力で酸素を溶解させることができる。
【００４２】
中空糸膜に送風する酸素含有ガスの圧力は、中空糸膜の圧力損失よりわずかに高い程度、例えば５〜２０％程度高い圧力がコスト面から好適である。
【００４３】
中空糸膜に供給する圧力は水深と無関係に決めてよい。通常の散気装置は水深以上の圧力が必要であることから、本発明は反応槽の水深が深いほど有利である。
【００４４】
なお、上下方向のモジュールの配管接続によって、膜内の凝縮水や生物槽から膜内に溶解してくる炭酸ガスの影響が異なる。そのため、圧損、凝縮水、炭酸ガスを考慮した配管接続構造とすることが好ましい。
【００４５】
本発明では、図４のように、反応槽３内に上下方向の仕切り２０を設置し、反応槽３内に下降流部２１と上向流部２２とを設け、下降流部２１及び上向流部２２内にそれぞれ酸素透過膜モジュールを設置してもよい。図４では、下降流部２１及び上向流部２２にそれぞれ酸素透過膜モジュール２a〜２ｃ，２ｄ〜２ｆを３段に設置しているが、設置段数はこれに限定されない。
【００４６】
ブロアＢからの酸素含有ガスを配管４，４ａ，４ｂを介して下降流部２１内の最上段の酸素透過膜モジュール２ａから順次に酸素透過膜モジュール２ｂ，２ｃに流通させ、酸素透過膜モジュール２ｃの流出ガスを配管４ｃを介して上向流部２２内の最下段の酸素透過膜モジュール２ｄに供給する。そして、配管４ｄ，４ｅを介して順次に酸素透過膜モジュール２ｅ，２ｆに流通させ、最上段の酸素透過膜モジュール２ｆの流出ガスを配管７から排出する。原水は、下降流部２１の上部に供給され、下降流部２１内を下降し、仕切り２０の下端を回り込んで上向流部２２内を上昇し、上向流部２２の上部から処理水が取り出される。
【００４７】
図４では、下降流部２１及び上向流部２２内の酸素透過膜モジュール２ａ〜２ｆを直列に接続し、１台のブロアＢによって酸素含有ガスを酸素透過膜モジュール２ａ〜２ｆに流通させるようにしているが、下降流部２１の酸素透過膜モジュール２ａ〜２ｃと上向流部２２の酸素透過膜モジュール２ｄ〜２ｆとに別々のブロアから酸素含有ガスを流通させるようにしてもよい。
【００４８】
図４では、仕切り２０の下端を反応槽３の底面よりも上位とし、仕切り２０の上端を反応槽３内の水面から上方に突出させているが、逆に、仕切り２０の下端を反応槽３の底面に当接させ、仕切り２０の上端を反応槽３の水面位よりも下位としてもよい。
【００４９】
この場合、原水は上向流部の下部に供給され、上向流部内を上昇した後、仕切りの上側を回り込んで下降流部内に流入し、下降流部内を下降して下降流部の下部から処理水が取り出される。
【００５０】
図示は省略するが、反応槽３内に複数の上向流部と下降流部とを設け、原水が下降流部→上向流部→下降流部→上向流部又は上向流部→下降流部→上向流部→下降流部のように流れるようにし、流路長を長くしてもよい。
【００５１】
本発明では、原水を上向流、または下向流で通水し、プラグフローとすることが好ましい。プラグフローの流れを利用して液と生物を接触させることにより、効率的な生物処理が可能となる。原水をディストリビュータを通して供給するとプラグフローが容易に形成される。
【００５２】
通常の好気性生物処理では、曝気するため、上向流、もしくは下向流のプラグフローを形成することはできなかった。しかし、ＭＡＢＲにおいては気泡が発生しないため、上下の液の乱れがなく、上向流、または下向流のプラグフローが容易に形成される。
【００５３】
反応槽３内の被処理水のＬＶは、原水のＢＯＤ濃度によらず、４ｍ／ｈｒ以上例えば４〜４０ｍ／ｈｒが好ましく、８ｍ／ｈｒ以上になれば十分な基質と微生物の混合が行われる。
【００５４】
上記実施の形態では、図２，３のように、中空糸膜１２を上下方向とし、原水（被処理水）が中空糸膜１２に沿って上下方向に流れるものとしているが、少なくとも一部の酸素透過膜モジュールとして、図５のように水平なＸ方向に配列された中空糸膜１２ａと、これと直交する水平なＹ方向に配列された中空糸膜１２ｂとを有する酸素透過膜モジュールを用いてもよい。この場合、中空糸膜１２ａ，１２ｂの上面側にスラッジ等が堆積することを防止するために、原水は上向流にて通水されることが好ましい。
【００５５】
図６は、かかるＸ，Ｙ方向の中空糸膜１２（１２ａ，１２ｂ）を備えた酸素透過膜モジュールの一例を示す斜視図である。この酸素透過膜モジュール３０Ａは、Ｙ方向に延在する平行な１対のヘッダー３１，３１と、これと直交するＸ方向に延在する１対のヘッダー３２，３２と、中空糸膜１２とを有する。Ｘ方向の中空糸膜１２ａはヘッダー３１，３１間に架設され、Ｙ方向の中空糸膜１２ｂはヘッダー３２，３２間に架設されている。中空糸膜１２ａ内はヘッダー３１内に連通し、中空糸膜１２ｂ内はヘッダー３２内に連通している。
【００５６】
ヘッダー３１，３２の端部同士が連結されることにより、ヘッダー３１，３２は方形枠状となっているが、ヘッダー３１，３２の両端内部にはエンドプラグ等の閉塞部材（図示略）が設けられており、ヘッダー３１，３２内は遮断されている。酸素含有ガスは一方のヘッダー３１に供給され、中空糸膜１２ａを通り、他方のヘッダー３１に流入する。また、酸素含有ガスは一方のヘッダー３２に供給され、中空糸膜１２ｂを通り、他方のヘッダー３２に流入する。
【００５７】
図６では、中空糸膜１２ａ，１２ｂは図５の通り単に重なっているだけであるが、図７（ａ），（ｂ）のように、Ｘ方向の中空糸膜１２ａとＹ方向の中空糸膜１２ｂとを平織り状に編組みしてもよい。
【００５８】
図６では、酸素透過膜モジュール３０Ａは直交２方向に延在する中空糸膜１２ａ，１２ｂを備えているが、図８のように、一方向にのみ平行に延在する中空糸膜１２を１対のヘッダー３３，３３間に架設し、ヘッダー３３，３３の両端同士を棒状連結部材３４で連結して方形枠状とした酸素透過膜モジュール３０を用いてもよい。
【００５９】
この場合、複数枚の酸素透過膜モジュール３０を中空糸膜１２の方向が交互に逆になるように重ね合わせて反応槽内に配置する。図８では、奇数段目（最上段及び上から３段目）の酸素透過膜モジュール３０は、中空糸膜１２がＹ方向に延在し、偶数段目（２段目）の酸素透過膜モジュール３０は、中空糸膜１２がＸ方向に延在している。図８では、酸素透過膜モジュール３０が３段だけ示されているが、２段又は４段以上設置されてもよい。また、図８では酸素透過膜モジュール３０が相互に離隔しているが、実際には図示よりも相互に接近して、例えば重ね合わせるようにして配置される。
【００６０】
図９，１０のように、複数枚の酸素透過膜モジュール３０をフレーム１５内に配置してユニットとしてもよい。図９では、１つのフレーム１５内に、中空糸膜をＸ方向とした酸素透過膜モジュール３０（以下、酸素透過膜モジュール３０Ｘという。）と、中空糸膜をＹ方向とした酸素透過膜モジュール３０（以下、酸素透過膜モジュール３０Ｙという。）とを交互に多段に配列している。
【００６１】
図１０では、酸素透過膜モジュール３０Ｘをフレーム１５内に配置したユニットと、酸素透過膜モジュール３０Ｙをフレーム１５内に配置したユニットとを上下に積み上げるように配置している。図１０では、ユニットが２段のみ示されているが３段以上設けられてもよい。
なお、これらの中空糸膜は、図５〜図８では１本ずつとなっているが、数本〜１００本程度の束にしても良い。
【００６２】
中空糸膜を水平かつ網目状又は格子状に配置することにより、下部から上昇する被処理水は、網目又は格子を通過するときに撹拌、混合されて、中空糸膜に付着した微生物と接触する。被処理水が上昇するにつれ、また網目又は格子を通過するたびに被処理水は微生物と接触し、生物処理が進行する。また、上部から下降する場合も同様である。
【００６３】
中空糸膜を縦方向にのみ配置した場合、中空糸が大きな束になって水が優先的に通過する水の通り道ができたり、ショートパスが起こり易い。
【００６４】
中空糸膜を水平に、かつ網目状に配置することにより、増殖した微生物のスライムによって中空糸膜が塊になることが防止され、接触効率が高くなる。
【００６５】
本発明では、被処理水が横向きに流れる反応槽をさらに設けてもよい。この場合は、被処理水の流れをプラグフローとするために、反応槽を細長くして、縦、横の長さ比を２０：１以上とすることが好ましい。この場合の被処理水の横向きの線速度は上向流、下向流場合と同様、４ｍ／ｈｒ以上が好ましい。
【００６６】
このように被処理水を横向きに流す場合、少なくとも一部の酸素透過膜モジュールとして、図１１のように、上下方向の中空糸膜１２ｃと水平方向の中空糸膜１２ｄとを格子状に配列したものを用い、原水が格子を貫く水平方向に流れるように構成してもよい。格子状の代りに網目状の中空糸膜モジュールを用いてもよい。
【００６７】
次に、本発明で用いる酸素含有ガス、ブロア等の好適例について説明する。
【００６８】
＜酸素含有ガス＞
酸素含有ガスは空気、酸素富化空気、純酸素等、酸素を含む気体であればよい。通気する気体はフィルターを通過させて微細粒子を除去することが望ましい。
【００６９】
通気量は生物反応に必要な酸素量の等量から２倍程度が望ましい。これよりも少ないと酸素不足で処理水中にＢＯＤやアンモニアが残存し、多いと通気量が不必要に多くなることに加えて圧力損失が高くなるため、経済性が損なわれる。
【００７０】
通気圧力は所定の通気量で生ずる中空糸の圧力損失よりもわずかに高い程度が望ましい。
【００７１】
＜ブロア＞
ブロアは、吐出風圧が水深からくる水圧以下のもので十分である。但し、配管等の圧損以上であることは必要である。通常、配管抵抗は１〜２ｋＰａ程度である。
【００７２】
５ｍの水深の場合、通常は０．５５ＭＰａ程度までの出力の汎用ブロアが用いられ、それ以上の水深では高圧ブロアが用いられてきている。
【００７３】
本発明では、５ｍ以上の水深であっても０．５ＭＰａ以下の圧力の汎用ブロアを用いることができ、０．１ＭＰａ以下の低圧ブロアを用いることが好ましい。
【００７４】
酸素含有ガスの供給圧は、中空糸膜の圧力損失より高く、水深圧力よりも低いこと、さらに膜が水圧でつぶれないこと、が条件となる。平膜、スパイラル膜は膜の圧損が水圧と比較すると無視できるため、極めて低い圧力、５ｋＰａ程度以上、水圧以下、望ましくは２０ｋＰａ以下である。
【００７５】
中空糸膜の場合、内径と長さによって圧力損失は変化する。通気する空気量は膜１ｍ２あたり２０ｍＬ〜１００ｍＬ／ｄａｙであるから、膜長さが２倍になると空気量は２倍になり、膜径が２倍になっても空気量は２倍にしかならない。したがって、膜の圧力損失は膜長さに正比例し、直径に反比例する。
【００７６】
圧力損失の値は、内径50μｍ、長さ２ｍの中空糸で３〜２０ｋＰａ程度である。
【００７７】
本発明者の実験によると、通気圧力を１１〜１４０ｋＰａ、通気量を２４０〜４６０ｍＬ／ｍｉｎ変化させた結果、酸素溶解速度はほとんど変化しないことが認められた。
【００７８】
本発明では、酸素溶解効率を３０〜１００％特に４０〜６０％となるようにすることが好ましい。
【００７９】
図１２は、中空糸膜の膜面積１．５ｍ２、１２ｇ−Ｏ２／ｍ２／ｄａｙの供給力を持つ中空糸膜モジュールを用い、７０ｍＬ／ｍｉｎで、１１〜１４０ｍＢａｒで空気を供給することで、６０％の溶解効率で運転した場合の酸素溶解効率の一例を示すグラフである。図１２の１／１１〜１／３１の間のカーブは、中空糸膜への生物膜の付着によって酸素が消費されることに起因する。酸素溶解効率のばらつきは、生物膜による消費やＢＯＤ（ＣＯＤ）負荷量の変動によって生じる。
【００８０】
中空糸膜の入口の酸素濃度が２０％（空気中）で、出口の酸素濃度が１０％（膜を透過することで減少）であれば、酸素溶解効率は５０％となる。風量を上げると、十分な量の酸素が供給されるため溶解効率は下がる。逆に風量を下げると、入口部分で酸素が透過し尽くし、溶解効率は１００％に近づく。
【００８１】
本発明の生物処理装置の諸元を設定する場合、水深とブロア圧力を決めた後に、溶解効率を決定し、それに見合う膜面積を決定し、風量を決定するのが好ましい。膜面積と風量の決定は逆でもよい。
【００８２】
なお、ｋＬａ（総括酸素移動係数）は、一般的には高いほうが好ましいが、酸素透過膜を用いる場合では、圧力を上げても、膜の性能以上にはならない。そのため、風量を変化させて溶解量を制御したり、膜面積を増やしたりする必要がある。
【００８３】
図１３の上側のグラフは、水深６０ｃｍの水槽（略同長さの中空糸膜を縦に配置）に中空糸膜モジュールを設置し、酸素の供給圧力を変化させた際のｋＬａを示し、図１３の下側のグラフは、水深５ｍの水槽に、６０ｃｍの中空糸膜を縦に配置した中空糸膜モジュールを設置し、酸素供給圧力を変化させた際のｋＬａを示す。
【００８４】
いずれも、水深より低い圧力でも酸素が透過していることから、水圧以下の圧力で供給するブロアが使用できる。
【００８５】
また、水深によって、ｋＬａがほとんど変化しない。
【００８６】
なお、図１３中の■を結ぶ直線は、散気板を用いた際の理論線であり、ｋＬａが風量と圧力に依存することを示す。そのため、水深圧以上の圧力をかけないと、散気管から槽内へ気泡は出てこない。
【００８７】
５ｍ以上の水深を有する深層曝気の場合には、通常の気泡を発生させる散気装置では高圧ブロアを用いる必要があったが、その際の圧損（空気漏れ等）の影響で、水深の浅い場合に比較して、より一層要求される圧力／水圧の傾きは大きくなる。
【００８８】
したがって、非多孔性の酸素透過膜を用いることで、１０〜２０ｍ、それ以上の深層曝気であっても、低圧ブロアや汎用ブロアを用いることで、槽内に十分な酸素を供給することが可能である。
【符号の説明】
【００８９】
１Ａ〜１Ｅ  生物処理装置
２，３０，３０Ａ  酸素透過膜モジュール
１０，１１，３１，３２，３３  ヘッダー
１２，１２ａ〜１２ｄ  中空糸膜
１３，１４  マニホルド
１５  フレーム
２０  仕切り
２１  下降流部
２２  上向流部
３４  連結部材
【図１】
2018047404.tif 000003
【図２】
2018047404.tif 000004
【図３】
2018047404.tif 000005
【図４】
2018047404.tif 000006
【図５】
2018047404.tif 000007
【図６】
2018047404.tif 000008
【図７】
2018047404.tif 000009
【図８】
2018047404.tif 000010
【図９】
2018047404.tif 000011
【図１０】
2018047404.tif 000012
【図１１】
2018047404.tif 000013
【図１２】
2018047404.tif 000014
【図１３】
2018047404.tif 000015